(57)【要約】【課題】薬剤の種類が増えても携帯性を高めることが出来る薬剤ディスペンサーを提供する。【解決手段】下部に排出口２を有する本体ケース１と、この本体ケース１内に、その中に高さ方向に積層されて収納された薬剤パック５を有する薬剤カートリッジ４を格納するためのカートリッジ格納部３と、このカートリッジ格納部３と排出口２の間に設けた排出機構６を備え、この排出機構６は少なくとも上下２つのツメ８、９を有し、これら２つのツメ８、９は前記本体ケース１側面に設けられた操作部７の操作により、前記薬剤パック５に対して接近側及び離脱側の相異なる動作をする構成とした。【選択図】図１
2010220715.tif 000002
【特許請求の範囲】
【請求項１】
下部に排出口を有する本体ケースと、
この本体ケース内に、その中に高さ方向に積層されて収納された薬剤パックを有する薬剤カートリッジを格納するためのカートリッジ格納部と、
このカートリッジ格納部と排出口の間に設けられた排出機構を備え、
この排出機構は少なくとも上下２つのツメを有し、
これら２つのツメは前記本体ケース側面に設けられた操作部の操作により、前記薬剤パックに対して接近側及び離脱側の相異なる動作をする構成とした薬剤ディスペンサー。
【請求項２】
操作部の押しボタンは、排出機構の２つのツメのうち上方ツメに一体化し、
この上方ツメには第一のラックを有し、
この第一のラックには軸を固定した歯車が係合しており、
この歯車の前記第一のラックと係合した部位の反対側に前記排出機構の２つのツメのうち下方ツメに一体化した第二のラックが係合した構成とした請求項１に記載の薬剤ディスペンサー。
【請求項３】
上方ツメと下方ツメは、それぞれ異なる薬剤パックの外周に当接する構成とした請求項２に記載の薬剤ディスペンサー。
【請求項４】
操作部の押しボタンが押される前は上方ツメが薬剤パックに当接せずに下方ツメが前記薬剤パックに当接した状態であり、
操作部の押しボタンが完全に押し込まれると前記上方ツメが前記薬剤パックに当接して前記下方ツメが前記薬剤パックに当接しない状態となる構成とした請求項３に記載の薬剤ディスペンサー。
【発明の詳細な説明】
【技術分野】
【０００１】
本発明は、薬剤を管理排出する薬剤ディスペンサーに関する。
【背景技術】
【０００２】
従来の薬剤ディスペンサーは、薬剤が高さ方向に積層された薬剤カートリッジの下方に取り出しフックを有する排出機構を備え、一つの錠剤と同じ高さの厚みとなった取り出しフックが薬剤を一錠ずつ薬剤カートリッジから引き出して排出する構成となっていた（例えば、特許文献１参照）。
【特許文献１】特表２００２−５０２７７９号公報
【発明の開示】
【発明が解決しようとする課題】
【０００３】
従来技術は、使用者が服用する薬剤が一種類であれば、大いに効果がある。ところが、この服用する薬剤は、服用する時刻に応じて複数種類提供されることが多々ある。この様な場合には、例えば朝、昼、夜、就寝前で服用する薬剤の種類と数がばらばらになっている。
【０００４】
従来技術を用いても、この場合に対応した薬剤の排出を行うことが出来るが、これには次に示すような欠陥がある。即ち、薬剤が一種類増える毎に薬剤カートリッジと取り出しフックを追加しなければならず、複数の薬剤を排出する構成にすると装置が大きくなってしまい、携帯が困難になってしまうという課題を有していた。
【０００５】
そこで本発明は、携帯性を高めることを目的とする。
【課題を解決するための手段】
【０００６】
そしてこの目的を達成するために、本発明の薬剤ディスペンサーは、下部に排出口を有する本体ケースと、この本体ケース内に、その中に高さ方向に積層されて収納された薬剤パックを有する薬剤カートリッジを格納するためのカートリッジ格納部と、このカートリッジ格納部と排出口の間に設けられた排出機構を備え、この排出機構は少なくとも上下２つのツメを有し、これら２つのツメは前記本体ケース側面に設けられた操作部の操作により、前記薬剤パックに対して接近側及び離脱側の相異なる動作をする構成としたことを特徴としたものである。
【発明の効果】
【０００７】
本発明の薬剤ディスペンサーは、下部に排出口を有する本体ケースと、この本体ケース内に、その中に高さ方向に積層されて収納された薬剤パックを有する薬剤カートリッジを格納するためのカートリッジ格納部と、このカートリッジ格納部と排出口の間に設けられた排出機構を備え、この排出機構は少なくとも上下２つのツメを有し、これら２つのツメは前記本体ケース側面に設けられた操作部の操作により、前記薬剤パックに対して接近側及び離脱側の相異なる動作をする構成としたので、薬剤の種類が増えても携帯性を高めることが出来る。
【発明を実施するための最良の形態】
【０００８】
以下に、本発明の薬剤ディスペンサーの実施の形態を図面とともに詳細に説明する。
【０００９】
（実施の形態）
図１は、本発明の実施の形態における薬剤ディスペンサーの断面図を示している。
【００１０】
図１において、本体ケース１は、下部に排出口２が設けられている。そして、排出口２の上方に設けられたカートリッジ格納部３に、円筒状の薬剤カートリッジ４が格納されている。この薬剤カートリッジ４は、本体ケース１の一部を形成するカバー１ａを取り外して交換する。
【００１１】
薬剤カートリッジ４には、高さの異なる円筒状の薬剤パック５が高さ方向に積層されていて、これら薬剤パック５の中には複数個の薬の錠剤（図示せず）が封入されている。
【００１２】
カートリッジ格納部４と排出口２との間には、排出機構６が設けられており、本体ケース１の側面に設けられた操作部７の操作により、排出機構６が動作するように構成されている。
【００１３】
図２は、排出機構６と操作部７の拡大図であり、図２（Ａ）は上面透視図、図２（Ｂ）は側面図を示している。
【００１４】
排出機構６は、２つの上下方向に配置された上方ツメ８と下方ツメ９を備え、上方ツメ８は、操作部７の押しボタン１０と一体化している。そして、上方ツメ８は押しボタン１０の動きに連動して往復運動するようになっている。
【００１５】
上方ツメ８には、第一のラック１１を有し、この第一のラック１１には固定板１２にて軸を固定した歯車１３が係合しており、この歯車１３の第一のラック１１と係合した部位の反対側に下方ツメ９に一体化した第二のラック１４が係合した構成となっている。そして、第一のラック１１及び第二のラック１４は、歯車１３と接する面に凹凸が刻まれており、歯車１３と噛み合うようになっている。
【００１６】
固定板１２は、本体ケース１に固定されている。さらに固定板１２には、バネ１５が取り付けられており、下方ツメ９を押しボタン１０方向へ移動させると、反発力を発生するようになっている。
【００１７】
第一のラック１１は上方ツメ８の下面に、第二のラック１４は下方ツメ９の上面にそれぞれ設けられ、その間に歯車１３が挟まれた関係になっている。そのため、押しボタン１０に連動して上方ツメ８が移動すると、下方ツメ９も移動するようになる。
【００１８】
この排出機構６の動作について以下に説明する。図３は、排出機構６と操作部７の関係について示した詳細図であり、図３（Ａ）は排出前、図３（Ｂ）は排出時、図３（Ｃ）は排出後における関係をそれぞれ示している。
【００１９】
まず排出前は、押しボタン１０が押し込まれていないので、図３（Ａ）にて示される通りバネ１５にて押し出された下方ツメ９により、最下層の薬剤パック５ａが保持されている。
【００２０】
排出の際には、図３（Ｂ）にて示される通り操作部７の押しボタン１０を押すことにより、上方ツメ８が押し出され、上方ツメ８により最下層の薬剤パック５ａの上に位置する薬剤パック５ｂが保持される。
【００２１】
一方、上述した第一のラック１１、第二のラック１４及び歯車１３の関係により、上方ツメ８が押し出されることと連動して、下方ツメ９が引き込まれる。下方ツメ９が、薬剤パック５ａのふち１６よりも押しボタン１０側へ引き込まれると、薬剤パック５ａを支える力が無くなり、薬剤パック５ａは自重により落下して、排出口２より排出される。この時、図示したように、バネ１５は固定板１２と下方ツメ９の間で圧縮されている。
【００２２】
そして、図３（Ｃ）に示される通り操作部７の押しボタン１０から手を離すことにより、バネ１５の押圧にて下方ツメ９が押し出される。それと連動して上方ツメ８が薬剤パック５ｂのふち１６よりも押しボタン１０側へ引き込まれると、薬剤５ｂを支える力が無くなり、薬剤パック５ｂは自重により落下する。この時、下方ツメ９は既にふち１６を支える位置まで押し出されており、この下方ツメ９にて薬剤パック５ｂの落下が妨げられ、保持される。
【００２３】
このように、これら２つのツメ（上方ツメ８及び下方ツメ９）は、操作部７の操作により、薬剤パック（５ａ及び５ｂ）に対して接近側及び離脱側の相異なる動作を行う。それにより、上方ツメ８と下方ツメ９は、それぞれ異なる薬剤パックの外周に当接し、薬剤パックを一つずつ排出することが可能になる。
【００２４】
以上の様に本発明の薬剤ディスペンサーによれば、薬剤パックを保持する上下２つのツメを、本体ケース側面に設けられた操作部の操作により、薬剤パックに対して接近側及び離脱側の相異なる動作をするようにしたため、高さの異なる薬剤パックを一つずつ排出することが可能となり、即ち、複数の薬剤を排出する構成でありながら携帯性を高めることが出来る。
【産業上の利用可能性】
【００２５】
本発明にかかる薬剤ディスペンサーは、薬剤の種類が増えても携帯性を高めることが出来るため、医療機関や家庭において服薬の管理等を行う携帯型装置として有用である。
【図面の簡単な説明】
【００２６】
【図１】薬剤ディスペンサーの断面図
【図２】排出機構と操作部の構成を示す図
【図３】排出機構と操作部の動作を示す図
【符号の説明】
【００２７】
１  本体ケース
１ａ  カバー
２  排出口
３  カートリッジ格納部
４  薬剤カートリッジ
５  薬剤パック
６  排出機構
７  操作部
８  上方ツメ
９  下方ツメ
１０  押しボタン
１１  第一のラック
１２  固定板
１３  歯車
１４  第二のラック
１５  バネ
１６  ふち
【図１】
2010220715.tif 000003
【図２】
2010220715.tif 000004
【図３】
2010220715.tif 000005